(57)【要約】      （修正有）【課題】袋口の周縁の強度が高いだけでなく、その強度向上を自在に調節でき、且つ、袋の外面に施されたエンボス模様又は絵模様が折り返し部分のこれら模様が透けることにより不自然に見えるという不具合が起きず、さらに、袋口の周縁の強度を上げるための補強部材を別途用いる必要のない袋の提供。【解決手段】不織布からなる袋であって、袋口の周縁に、より厚肉の帯状の強化部４を設けてなり、該強化部は、袋本体５の繊維材料と同一の繊維材料からなる界面を有しない単一の連続組織からなり、且つ、袋本体の厚さよりもより厚く、袋本体の厚さのおよそ４倍までの厚さを有することを特徴とする、不織布袋。【選択図】図１
2008167940.tif 000002
【特許請求の範囲】
【請求項１】
不織布からなる袋であって、袋口の周縁に、より厚肉の帯状の強化部を設けてなり、該強化部は、袋本体の繊維材料と同一の繊維材料からなる界面を有しない単一の連続組織からなり、且つ、袋本体の厚さよりもより厚く、袋本体の厚さのおよそ４倍までの厚さを有することを特徴とする、不織布袋。
【請求項２】
前記強化部に取手が形成されている請求項１に記載の不織布袋。
【請求項３】
前記強化部に手提げ紐が取着されている請求項１に記載の不織布袋。
【発明の詳細な説明】
【技術分野】
【０００１】
本発明は、不織布からなる袋、例えば、買物袋、小物袋又は手提げ袋等の日常的に使用され得る袋に関する。
【背景技術】
【０００２】
従来、不織布からなる袋は軽量で持ち運ぶのに便利であるが、繰り返して使用すると、次第に袋口の周縁が徐々に擦り切れたり、又はほころびたりし、さらに使用を続けると、袋口の周縁から袋本体へと裂け目が生じ、袋としての機能を損なうことがあった。また、袋の取手又は手提げ紐は通常、袋口の周縁に形成又は取着されており、袋内に物品を収納して持ち運ぶとき、袋口の周縁のうち袋の取手の形成部分又は手提げ紐の取着部分には該物品の荷重が特に加わる。そのため、その部分から切れ目が入ったり又は破れたりし、さらに使用を続けるとこれら切れ目又は破れがさらに周辺に広がり、そのため袋として使用できなくなるという問題があった。
そこで従来、これらの不具合を解消するために、袋口の周縁の強度を上げた袋が提案されている。かような袋として例えば、図７ないし図９に示すように、袋口の周縁を１回以上折り返して２重又は３重構造となるように作ることによって、該周縁が補強された袋が挙げられる。図７に示す袋１９は、袋口２０の周縁２１を内側に１回折り返したことにより、袋本体２２の厚さよりも２倍厚い補強部２３を形成した構造のものである（図７中のＣ部分の断面図である図８をも参照。）。また、袋１９には通常、装飾のためにエンボス模様２４、或いは絵模様２５が施される（図７中のＣ部分の拡大図である図９をも参照。）。また、このように袋口の周縁を折り返すことにより該周縁の強度を上げた技術が具体的に採用された袋としては、例えば特許文献１に記載のポリエステル不織布手提げ袋が挙げられる。特許文献１によると、ポリエステル不織布手提げ袋は、提げ手６を袋体３の口部５の側縁部７に超音波融着して接合してなり、そして側縁部７は、内側に折り返して２層構造としたことにより、提げ手６を接合する口部５の補強が図られている。
また、袋口の周縁の強度を上げた他のタイプの袋としては例えば、図１０ないし図１２に示すように、袋口の周縁を折り返して該折り返し部分と袋本体との間の中空部分に厚紙又はプラスチック製のシートなどの補強部材を入れた袋が挙げられる。図１０に示す袋２６は、袋口２７の周縁２８が内側に１回折り返され、さらに、折り返した部分と袋本体２９との間の中空部分に補強部材として厚紙３０を入れたことにより、補強部３１を形成した構造のものである（図１０中のＤ部分の断面図である図１１をも参照。）。そして、袋２６には通常、装飾のためエンボス模様３２、或いは絵模様３３が施されている（図１０中のＤ部分の拡大図である図１２参照。）。
【特許文献１】特開２００１−１９０３１７号公報
【発明の開示】
【発明が解決しようとする課題】
【０００３】
しかしながら、従来の袋においては、不織布の袋地は薄いため、袋口の周縁の内側に折り返された部分のエンボス模様又は絵模様が袋の外面から透けて見えるので（例えば、図８及び図９に記載の従来の袋１９のエンボス模様２４’、並びに、図１１及び図１２に記載の従来の袋２６のエンボス模様３２’）、これらエンボス模様又は絵模様が外面のエンボス模様又は絵模様と重なって写し出され、そのため不自然な模様に見えてしまうという不都合があった。また、従来の袋の補強部は、袋口の周縁を折り返すことにより厚みを増すものであるので、厚さが整数倍のものに限られる。例えば、補強部に対して袋本体の厚さの１．２倍の厚さに相当する程度の強度が必要十分とされる場合であっても、周縁を１回折り返して袋本体の厚さの２倍の厚さに調整するしかないという不都合があった。さらに、  従来の袋においては、袋口の周縁を折り返すという作業が必要であるため、手間が
かかり、生産効率が低い。特に、抜手袋の場合においては、袋口の周縁を折り返すという作業を手作業で行わなければならず、生産性の面で問題であった。さらにその上、厚紙のような補強部材が用いられた袋においては、補強部材の材料費がかさむ上に、厚紙を入れる作業が煩わしいという不都合もあった。
本発明は、このような事情を考慮し為されたものであって、袋口の周縁の強度が高いだけでなく、その強度向上を自在に調節でき、且つ、袋の外面に施されたエンボス模様又は絵模様が折り返し部分の透け見えるこれら模様と重なって不自然に見えるという不具合が起きず、さらに、袋口の周縁を折り返す作業を必要とせず、及び、袋口の周縁の強度を上げるための補強部材を別途用いる必要のない袋の提供を課題とする。
【課題を解決するための手段】
【０００４】
すなわち本発明は、
不織布からなる袋であって、袋口の周縁に、より厚肉の帯状の強化部を設けてなり、該強化部は、袋本体の繊維材料と同一の繊維材料からなる界面を有しない単一の連続組織からなり、且つ、袋本体の厚さよりもより厚く、袋本体の厚さのおよそ４倍までの厚さを有することを特徴とする、不織布袋に関する。
また本発明は、強化部に取手が形成されているか、或いは、強化部に手提げ紐が取着されている、上記の不織布袋に関する。
【発明の効果】
【０００５】
本発明の不織布からなる袋は、袋口の周縁により厚肉の帯状の強化部を設けてなることによって該周縁の強度が高められ、それにより、袋を繰り返して使用したことによる周縁の擦り切れ又はほころびが効果的に抑えられる。のみならず、本発明の袋において、強化部は、袋本体の繊維材料と同一の繊維材料からなる界面を有しない単一の連続組織からなる構造を有する。そのため、袋口の周縁を折り返して作られた界面を有する連続していない上記従来の袋における補強部構造と比べて、同じ厚さにおける強度がより高く、しかも、その強度向上を、強化部の厚さの変更により自在に調節することができる。さらには、周縁を折り返すものでないため、その部分のエンボス模様又は絵模様が内側から透けて見え袋外面のエンボス模様又は絵模様の外観を損なうという不具合が起きず、意匠的効果において有利である。また、袋口の周縁を折り返す作業をなす必要もなく、また袋口の周縁に補強部材を挿入する作業をなす必要もないため、製造の面で高い生産性が得られ、その分生産コストを低下させることができる。さらに、取手又は手提げ紐が強化部に形成され又は取着されることにより、袋に物品を収納して持ち運ぶときでも、物品の重さにより取手の形成部分又は手提げ紐の取着部分に切れ目が入ったり破れたりしてしまうことが効果的に防止される。
【発明を実施するための最良の形態】
【０００６】
本発明の袋を、その一態様を図示した図１ないし図３に基づいて説明する。
本発明の不織布からなる袋１は、袋の最も弱い箇所である袋口２の周縁３の強度を高めるために、該周縁３に、より厚肉の帯状の強化部４を設けてなる。そして強化部４は、袋本体５の繊維材料と同一の繊維材料からなる界面を有しない単一の連続組織からなるという特徴をさらに有する（図１中のＡ部分の断面図である図２参照。）。つまり強化部４はもともとより厚肉とされており、袋本体５を折り返した部分でなく、また袋本体５と同一の繊維材料以外の他の材料、例えば厚紙やプラスチックシートなどの材料が挿入されているものではなく、袋本体５と連続して形成されており、且つ、強化部４の断面は単層構造であって別の層構造を有しないものである。従って、この構造上の特徴によって、強化部４の外面のエンボス模様６及び絵模様７については、折り返し部分のエンボス模様６’及び絵模様が透けて見えて外観を損なわれるという不具合が起きず、意匠的効果において有利である（図１中のＡ部分の拡大図である図３をも参照。）。
また、強化部４の厚さｗ１は、所定の回数繰り返して使用した後であっても（例えば、
袋１を買物袋としておよそ２０回繰り返して使用した後であっても、）、袋口２の周縁３から裂け目が入って袋としての機能を損なうことがないような範囲の厚さ、おおむね、袋本体５の厚さｗ２よりもより厚く、袋本体５の厚さｗ２のおよそ４倍までの厚さに設定される（図２参照。）。強化部４の厚さｗ１が袋本体の厚さｗ２よりもより薄いと、所定の強度が得られない。また強化部４の厚さｗ１が袋本体の厚さｗ２の４倍を超えると、袋１の材料をより多く必要とするため、生産コストの面で好ましくない。すなわち好ましいのは、強化部４の厚さｗ１が袋本体の厚さｗ２よりも厚く、且つ３倍までの袋である。そして、強化部４の厚さｗ１を変えることにより、袋口の強度を向上を自在に調節することができる。
また、本発明においては、好ましくは、強化部４に取手８を形成するのがよい。これにより、取手８の形成部分に切れ目が入ったり又は破れたりすることが効果的に防止される。取手８の代わりに手提げ紐を強化部４に取着するのもよい。
かような本発明の袋１とは対照的に異なって、例えば従来の袋１９は、補強部２３の断面において、折り返し部分と袋本体との間に非連続の界面ｂ１を有するものであり、連続組織からなるものではない（図８参照。）。また、例えば従来の袋２３は、折り返し部分と袋本体との間に非連続の界面ｂ２を有し、且つ、その部分に厚紙２７を挿入するものであり、即ち、同一の繊維材料からなるものでも、単一の連続組織からなるものでもない（図１１参照。）。そのため従来の袋においては、折り返し部分の模様が外面に写し出される、或いは生産性が悪く高費用である等の不都合を生じるものである。
【０００７】
本発明の不織布からなる袋は例えば、ポリエステルなどの不織布用繊維から、強化部に相当する部分がより厚肉となるように不織布シートを製造した後、該シートを適当な寸法に切断し、得られたシート片を二つ折りにし、さらに袋状となるように側縁を縫着又は熱溶着することにより作ることができる。
本発明において用いられる不織布の材料としては、例えば、ポリエステル系繊維、ポリアミド系繊維（ナイロン繊維）、ポリプロピレン系繊維、ポリエチレン系繊維、ポリプロミックス系繊維、ポリクラール系繊維等の合成繊維、ビスコース繊維、銅アンモニアレーヨン等の再生繊維及びアセテート繊維等の半合成繊維等を挙げることができる。
【０００８】
以下、実施例において本発明の不織布からなる袋を具体的に挙げて説明するが、いかなる場合であっても本発明を限定するものと解釈してはならない。
【実施例】
【０００９】
実施例１
本実施例においては、上述の図１ないし図３に示すポリプロピレン（ＰＰ）製の不織布からなる袋１を挙げる。
袋１は、袋口２の周縁３に、袋本体５より厚肉の帯状の強化部４を設けてなる。袋本体５の厚さ（図２中のｗ２）がおよそ０．２ｍｍであるのに対し、袋口２の周縁３における帯状（幅およそ６ｃｍ）の強化部４の厚さ（図３中のｗ１）はおよそ０．６ｍｍであり、強化部４は袋本体５よりもより３倍厚肉である。また、強化部４のほぼ中央には、長径およそ６ｃｍの略楕円状の切り抜かれた取手８を形成している。
袋１のＡ部分における断面図の図２に示すように、強化部４には、界面の存在が観察されていない。強化部４の内面のエンボス模様６’が外面のエンボス模様６に対しずれた配置で外側より透けて見えることがなく、また強化部４の外面の絵模様７についても、折り返し構造でないため、内面の絵模様と重なって透けて見えることはなく、従って絵模様７の外観は袋全体において良好なものである。
而して、袋１を買物袋として２０回使用したところ、袋口２の周縁３及び取手８において、袋としての機能を損なう程の切れ目又は裂け目は見られなかった。
【００１０】
実施例２
本実施例は、図４ないし６に示す本発明の別態様の不織布からなる袋９である。
ＰＰ製の袋９は、長さおよそ３５ｃｍ、幅およそ２５ｃｍを有する縦長の構造のものである。袋９には、その袋口１０の周縁１１において、より厚肉の幅およそ６ｃｍの帯状の強化部１２を設けてなり、周縁１１の強度向上が図られている。具体的には、強化部１２の厚さｗ３（図４中のＢ部分の断面図である図５参照。）はおよそ０．４ｍｍを有し、袋本体１３の厚さ（図５中のｗ４）およそ０．２ｍｍと比べておよそ２倍となるように設計されている。また強化部１２は袋本体１３と同一の繊維材料であるＰＰからなる。袋９にはエンボス模様１４が施され、そしてその外面には絵模様１５が施され、さらに、その強化部１２において手提げ紐１６が鳩目１７によって取着されている。更に、袋９には、物品を収納したときに該物品の位置が安定しやすく、持ち運びしやすいように、底部において幅広のまち１８が設けられている。
強化部１２の断面図の図５に示すように、界面を有しない単一の連続組織からなることが観察される。強化部１２のエンボス模様１４は外面と内面とでずれ乱れた配置で透けて見えることもなく、また強化部１２も、折り返し構造でないため、内面の模様と重なって透けて見えることはなく、従って絵模様１５の外観は袋全体において良好である。
而して、袋９を買物袋として２０回使用したところ、袋口１０の周縁１１及び手提げ紐１６の取着部分において、袋としての機能を損なう程の切れ目又は裂け目は見られなかった。
【図面の簡単な説明】
【００１１】
【図１】本発明の不織布からなる袋の一実施例を示す斜視図である。
【図２】図１のＡ部分の断面図である。
【図３】図１のＡ部分の拡大図である。
【図４】本発明の不織布からなる袋の他の実施例を示す斜視図である。
【図５】図４のＢ部分の断面図である。
【図６】図４のＢ部分の拡大図である。
【図７】従来の袋の一態様を示す斜視図である。
【図８】図７のＣ部分の断面図である。
【図９】図７のＣ部分の拡大図である。
【図１０】従来の袋の別態様を示す斜視図である。
【図１１】図１０のＤ部分の断面図である。
【図１２】図１０のＤ部分の拡大図である。
【符号の説明】
【００１２】
１，９  本発明の袋    ２，１０，２０，２７  袋口    ３，１１，２１，２８  周縁  
４，１２  強化部    ５，１３  袋本体    ６，６’，１４，１４’，２４，２４’，３２，３２’  エンボス模様    ７，１５，２５，２５’，３３，３３’  絵模様    ８
取手    １６  手提げ紐    １７  鳩目    １８  まち    １９，２６  従来の袋    ２２，２９  袋本体    ２３，３１  補強部    ３０  厚紙    ｗ１  強化部４の厚さ  
ｗ２  袋本体５の厚さ    ｗ３  強化部１２の厚さ    ｗ４  袋本体１３の厚さ
【図１】
2008167940.tif 000003
【図２】
2008167940.tif 000004
【図３】
2008167940.tif 000005
【図４】
2008167940.tif 000006
【図５】
2008167940.tif 000007
【図６】
2008167940.tif 000008
【図７】
2008167940.tif 000009
【図８】
2008167940.tif 000010
【図９】
2008167940.tif 000011
【図１０】
2008167940.tif 000012
【図１１】
2008167940.tif 000013
【図１２】
2008167940.tif 000014